(57)【要約】【目的】  容易な作業で印字体の回転止を可能とし、かつカバーや印字体の寸法のバラツキがあっても印面に変形を生じずに取付け台に固定可能とし、捺印時に変形した印影となったり、濃淡を生じたりする従来の問題を解消して品質の向上とコスト低減を可能とする。【構成】  筆記具の軸筒の後端または印鑑ホルダーの軸筒の前端等に取付けられる印鑑であって、該印鑑は、取付け台とその取付け台に載置あるいは収容される多孔性の通孔を有してインキを含浸可能とする印字体と、印字体の印面側周面を縁で圧接して印字体を取付け台に固定するカバーとで構成されるものに於いて、カバーは、印面が突出するように設けられた開口部内方に突状に縁が形成され、また、前記印字体は、印面側周面に沿って略Ｖ字状の溝部が形成されており、突状の縁が溝部に適宜係合状態で嵌入して印字体が固定される。【選択図】        図２
2005349673.tif 000002
【特許請求の範囲】
【請求項１】
筆記具の軸筒の後端または印鑑ホルダーの軸筒の前端等に取付けられる印鑑であって、該印鑑は、取付け台とその取付け台に載置あるいは収容される多孔性の通孔を有してインキを含浸可能とする印字体と、印字体の印面側周面を縁で圧接して印字体を取付け台に固定するカバーとで構成されるものに於いて、
前記カバーは、印面が突出するように設けられた開口部内方に突状に縁が形成され、また、前記印字体は、印面側周面に沿って略Ｖ字状の溝部が形成されており、突状の縁が溝部に適宜係合状態で嵌入して印字体が固定されることを特徴とする印鑑。
【請求項２】
印面側と反対側の印字体の後面に多数の小突起が形成され、その小突起側が取付け台の受け座及び取付け台に配設されたインキ吸蔵体に接触した状態で設けられてなる請求項１に記載の印鑑。
【請求項３】
印字体は、シリコーン系発泡合成ゴムより形成した部材にレーザー加工機によって印面の造形と文字等の彫刻及びＶ字状の溝部の形成、また、印字体の後面に小突起を形成してなる請求項２に記載の印鑑。
【発明の詳細な説明】
【技術分野】
【０００１】
本発明は、筆記具の軸筒の後端または印鑑ホルダーの軸筒の先端に取付ける無数の連続気孔を有した多孔性材料よりなる印字体を使用した印鑑の改良に関する。
【背景技術】
【０００２】
【特許文献１】特開平８−１０８６０４
【特許文献２】特開２０００−３３５０６９  従来、インキを吸蔵できるようにスポンジゴム等の無数の連続気孔を有した多孔性印材より形成された印字体を使用して、使用のたびに朱肉等に付着させる必要のない印鑑が知られている。また、それらの印鑑は筆記具の軸筒の後端やキャップの着脱が不要な開閉蓋付きの印鑑ホルダーなどの軸筒の先端に着脱可能に取付けるものが知られている。
【０００３】
特許文献１に於いて、印字体をホルダー（取付け台）に装着した印判（印鑑）は、ホルダーに対して印字体が回転することがあり、外ケースの方向表示と印字体の印字の向きとにずれが生じる問題が指摘され、その問題を解決する手段として印字体の裏面に凸部と凹部を形成し、その凹部をホルダーの受け座に設けたリブを嵌入させて印字体の回転を防ぐように構成したものが示されている。
また、捺印時に過度の押圧力が加えられたときに印字体が圧潰されて含浸されているインキが過剰に流出して印影が滲み鮮明な印影が得られないという問題が前記凸部のクッション性で解決できることが示されている。
しかしながら、印字体に設けた凹部にホルダーに設けたリブを嵌入させて印字体を回転止めする手段は必ずしも作業性が容易であるとはいえない。また、凸部の形状が規制されることからクッション性がベストであるともいえない。
【０００４】
また、図４は従来例で、印字体の回転止め手段として作業性は容易なものである。
この印鑑は、取付け台に収容された印字体の印面側周面をカバーの開口部内方に突状となった縁で圧接して印字体が取付け台に固定されており、この圧接によって印字体が回転止めされる。この場合、カバーの端部から縁までの長さや印字体の厚みのバラツキから印面側周面にカバーの縁が食い込み、印面の外縁部が引っ張られて印面の中央が突状に湾曲した状態となり、捺印時に変形した印影となったり、印影に濃淡を生じたりする問題がある。更に、カバーの縁はバリや変形の影響が加わって、印面の湾曲が一層不均一な状態になる場合がある。
【０００５】
また特許文献２に於いて、メチルビニルシリコーンゴム等のシリコーン系発泡合成ゴムを印字体の材料として、レーザー加工すれば、加工する際に発生するガスが無害であり、また臭気はごく僅かであるために脱臭装置を設備する必要がなく、加工時に発生する彫刻カスは完全燃焼して灰になるために灰はエアーにて吹き飛ばした後、吸引してフィルターを通すことにより回収処理することができ、従来のＮＢＲ等の合成ゴムを印字体の材料として用いた場合に発生していたタール状の彫刻カスを洗浄し乾燥する装置が不要となって、洗浄や乾燥のための工程を削減できることが述べられている。
【０００６】
また、印字体に吸蔵されたインキが捺印と共に消費され、通常数百回捺印すると印影が薄くなる。その時には印面からインキを滴下して補充するが、インキの粘度が高く印字体へのインキの浸透に長い時間がかかる。従って、その間印面はべたつき状態となるため捺印できない状態となり、また、極端にはインキが垂れるために長い時間インキがしみ込むまで印鑑を収納できないという問題も存在する。
【発明の開示】
【発明が解決しようとする課題】
【０００７】
容易な作業で印字体の回転止を可能とし、かつカバーの端部から縁までの長さや印字体の厚みのバラツキがあっても印面に変形を生じずに印字体を取付け台に固定可能とし、捺印時に変形した印影となったり、印影に濃淡を生じたりする従来の問題を解消して品質の向上と共にコスト低減を可能とする。
また、捺印時に過度の押圧力が懸かっても印面側にインキが過剰に流出して印影が滲んだり、不鮮明となる問題を改善する。
【課題を解決するための手段】
【０００８】
本発明は、上記課題を達成するために以下の構成を有する。
請求項１に記載の発明に係る印鑑は、筆記具の軸筒の後端または印鑑ホルダーの軸筒の前端等に取付けられる印鑑であって、該印鑑は、取付け台とその取付け台に載置あるいは収容される多孔性の通孔を有してインキを含浸可能とする印字体と、印字体の印面側周面を縁で圧接して印字体を取付け台に固定するカバーとで構成されるものに於いて、前記カバーは、印面が突出するように設けられた開口部内方に突状に縁が形成され、また、前記印字体は、印面側周面に沿って略Ｖ字状の溝部が形成されており、突状の縁が溝部に適宜係合状態で嵌入して印字体が固定される。
【０００９】
請求項２に記載の発明に係る印鑑は、請求項１に記載の印鑑に於いて、印面側と反対側の印字体の後面に多数の小突起が形成され、その小突起側が取付け台の受け座及び取付け台に配設されたインキ吸蔵体に接触した状態で設けられてなる。
【００１０】
請求項３に記載の発明に係る印鑑は、請求項２に記載の印鑑に於いて、印字体は、シリコーン系発泡合成ゴムより形成した部材にレーザー加工機によって印面の造形と文字等の彫刻及びＶ字状の溝部の形成、また、印字体の後面に小突起を形成してなる。
【発明の効果】
【００１１】
容易な作業で印字体の回転止めが可能となり、かつカバーの端部から縁までの長さや印字体の厚みのバラツキがあっても印面に変形を生じずに印字体が取付け台に固定可能となり、捺印時が変形した印影となったり、印影に濃淡を生じたりする従来の問題が解決可能となり、品質の向上と共にコストが低減可能となる。
また、捺印時に過度の押圧力が懸かっても印字体に含浸されているインキが印字体の後面に形成された小突起の圧縮によるクッション性と小突起によって囲まれた凹部に一時保留されることで、印面側に過剰に流出して印影に滲みを生じたり鮮明な印影が得られないという品質問題が改善される。
【発明を実施するための最良の形態】
【００１２】
本発明の印鑑は、筆記具の軸筒の後端または印鑑ホルダーの軸筒の前端等に着脱可能あるいは固着して取付けられる印鑑である。図１は筆記具の後端に印鑑を取付た一例を示している。
また、図２及び図３は本発明である印鑑の実施例を示すものである。
図に示されるように、実施例の印鑑１の印字体２はインキを吸蔵できるようにスポンジゴム等の無数の連続通気孔を有した多孔性材料より形成され、印字体２の前面には氏名等の印面２ａが刻設されている。また、印面側周面に沿って略Ｖ字状の溝部が形成され、印字体２の後面には多数の小突起２ｂが形成されて、小突起２ｂで囲まれた空間部が凹部２ｃとなっている。
【００１３】
一方、取付け台３は、筒状で前方外周部に対し後端側がやや小径となされ、その外周に後述する接合部３ｄが設けられている。また、軸心に前端側から印字体２を収容する空間部と空間部の後端に受け座３ａが設けられ、更にその後部にやや小径となしたインキ吸蔵体６を収容する空間部が設けられ、その空間部の後端に段部３ｂが設けられて、後端が開口されている。
また、カバー５は、前後端が開口した通常金属製の筒体で、前端が開口部内方にカールして突状の縁５ａが形成されてなる。
また、受け台４は、筒状で前端内孔部に接合部４ａとその後部に閉塞した仕切部４ｂが設けられ、さらに後端部４ｃが設けられている。
【００１４】
前記取付け台３の後端側の空間部にインキ吸蔵体６が装着され、前端側の空間部に印字体２が装着されて、印字体の小突起２ｂ側が取付け台の受け座３ａに当接されると共にインキ吸蔵体６の後端面に接触した状態で設けられる。
次に、カバー５が取付け台３の前方外周部に挿着され、カバー５前端の開口部から印字体２の印面２ａが突出されると共に、カバーの縁５ａが印字体２の印面側周面に沿って形成された略Ｖ字状の溝部２ｄに適宜係合した状態で嵌入する。その係合する程度は印面２ａが変形を受けない程度であり、印字体が回転止めされる程度である。
尚、溝部２ｄはＶ字状に限定されず係合効果がある形状で設けることができる。
次に、取付け台３の後端側外周に設けられた接合部３ｄに前記受け台４に設けられた接合部４ａが着脱可能に係合して印鑑１が構成される。また、取付け台３と受け台との接合部にはインキ吸蔵体に通気する通気路３ｃが設けられている。
尚、前記接合部３ｄ、４ａは螺子部となして螺合したり、相互に弾性変形によって係脱可能な凹凸部とするなど限定されず設けることができる。
【００１５】
実施例の印鑑１は以上のように構成され、受け台４の後端部４ｃが筆記具の軸筒の後端または印鑑ホルダーの軸筒の前端等に着脱可能に取付けられる。インキの補充は取付け台３から受け台４を離脱した状態で行い、インキ吸蔵体６の後端からインキを滴下して充填される。尚、インキが過充填ぎみだとインキ吸蔵体６の後端からボタ落ちする可能性があるが、取付け台３に受け台４を取付ることによって受け台４に設けられた仕切部４ｂによって外部に漏れ出す虞は無い。
【００１６】
また、その他の実施形態として、取付け台３と受け台４を一体になすと共に、後端にインキ吸蔵体６に通ずるバルブを設け、インキ充填の際にバルブを開口して行うように設けることも可能である。
また、印鑑１の構成を取付け台３から受け台４を除いたものとし、受け台４が筆記具の軸筒の後端または印鑑ホルダーの軸筒の前端等に一体または固着された状態となすこともできる。
【００１７】
また、取付け台３と受け台４を一体になすと共に、後端に微小な通気孔を設け、インキを印面側から滴下して充填することもできる。しかしながら、インキが印字体にしみ込むまでに長い時間がかかる欠点がある。
【００１８】
ところで、上述した印字体２は、シリコーン系発泡合成ゴムより形成した部材にレーザー加工機によって印面の造形と文字等の彫刻及びＶ字状の溝部の形成、また、印字体の後面に小突起を形成して得られる。
また、シリコーン系発泡合成ゴムは、レーザー加工する際に発生するガスが無害で、彫刻カスの処理が容易なものが選択される。
【００１９】
また、カバーの前端面に対する印面の突出寸法（印面出寸法）のバラツキの影響は無視できないものである。バラツキの影響を緩和する上でクッション性は重要である。
印字体の後面に小突起と小突起の周囲に形成される凹部を設けることで小突起のクッション性と凹部の一時インキ保留によってインキが過剰に流出して印影が滲んだり、不鮮明となる問題が改善される。
【図面の簡単な説明】
【００２０】
【図１】本発明の印鑑を後端に取付けた筆記具の一例を示す図である。
【図２】本発明の印鑑を示す断面図である。
【図３】本発明の印鑑に使用する印字体を示す図である。
【図４】従来の印鑑を示す要部断面図である。
【図５】従来の印鑑に使用する印字体を示す図である。
【符号の説明】
【００２１】
１      印鑑
２      印字体
２ａ    印面
２ｂ    小突起
２ｃ    凹部
２ｄ    溝部
３      取付け台
３ａ    受け座
３ｂ    段部
３ｃ    通気口
３ｄ    接合部
４      受け台
４ａ    接合部
４ｂ    仕切部
４ｃ    後端部
５      カバー
５ａ    縁
６      インキ吸蔵体
７      印字体
７ａ    印面
８      取付け台
８ａ    受け座
９      カバー
９ａ    縁
ｈ      印面出寸法
【図１】
2005349673.tif 000003
【図２】
2005349673.tif 000004
【図３】
2005349673.tif 000005
【図４】
2005349673.tif 000006
【図５】
2005349673.tif 000007